(57)【要約】【課題】卸売業者が製造業者等の製品の販売促進活動を行うことによって新たに喚起された需要についても製造業者等から利益を還元できる仕組みを提供すること。【解決手段】非会員は各々特定された会員により管轄されており、マスターサーバーは、会員端末又は非会員端末から入力された取引情報に基づいてポイントを発行するポイント発行手段と、ポイント記憶ファイルに記憶された会員毎のポイントに当該会員の会員端末から入力された取引情報に基づいて発行されたポイント又は当該会員が管轄する非会員の非会員端末から入力された取引情報に基づいて発行されたポイントを加算したポイントを新たにポイント記憶ファイルに記憶させるポイント更新手段と、を有することを特徴とする取引データ処理システム【選択図】　なし【特許請求の範囲】
【請求項１】
取引情報を入力する手段を有する会員端末及び取引情報を入力する手段を有する非会員端末と会員毎のポイントを記憶するポイント記憶ファイルを有するマスターサーバーとが各々通信回線を介して接続されてなる取引データ処理システムにおいて、
非会員は各々特定された会員により管轄されており、
マスターサーバーは、
会員端末又は非会員端末から入力された取引情報に基づいてポイントを発行するポイント発行手段と、
ポイント記憶ファイルに記憶された会員毎のポイントに当該会員の会員端末から入力された取引情報に基づいて発行されたポイント又は当該会員が管轄する非会員の非会員端末から入力された取引情報に基づいて発行されたポイントを加算したポイントを新たにポイント記憶ファイルに記憶させるポイント更新手段と、を有することを特徴とする取引データ処理システム。
【請求項２】
取引情報を入力する手段を有する卸売業者端末及び取引情報を入力する手段を有する購入者端末と卸売業者毎のポイントを記憶するポイント記憶ファイルを有するマスターサーバーとが各々通信回線を介して接続されてなる取引データ処理システムにおいて、
購入者は購入地により各々特定された卸売業者により管轄されており、
マスターサーバーは、
卸売業者端末又は購入者端末から入力された取引情報に基づいてポイントを発行するポイント発行手段と、
ポイント記憶ファイルに記憶された卸売業者毎のポイントに当該卸売業者端末から入力された取引情報に基づいて発行されたポイント又は当該卸売業者が管轄する購入者端末から入力された取引情報に基づいて発行されたポイントを加算したポイントを新たにポイント記憶ファイルに記憶させるポイント更新手段とを
有することを特徴とする取引データ処理システム。
【請求項３】
コンピュータを用いて取引データを処理する取引データ処理方法において
会員端末又は非会員端末から入力された取引情報に基づいてポイントを発行するポイント発行ステップと、
ポイント記憶ファイルに記憶された会員毎のポイントに当該会員の会員端末から入力された取引情報に基づいて発行されたポイント又は当該会員が管轄する非会員端末から入力された取引情報に基づいて発行されたポイントを加算したポイントを新たに記憶するポイント更新ステップとを
有することを特徴とする取引データ処理方法。
【発明の詳細な説明】
【０００１】
【発明の属する技術分野】
本発明は取引データ処理システムに関する。
【０００２】
【従来の技術および発明が解決しようとする課題】
従来から製造業者や輸入業者等が自社製品の販売を促進するために、卸売業者に特定地域等の販売促進活動を委託することが商慣習として行われている。
しかし、卸売業者が製造業者等の製品について販売促進活動を行っても、その結果新たに喚起された需要が自らへの当該製品の注文として顕在化しなければ、卸売業者にとって販売促進活動を行ったメリットを享受できないという問題がある。
本発明は卸売業者が製造業者等の製品の販売促進活動を行うことによって新たに喚起された需要についても製造業者等から利益を還元できる仕組みを提供することを課題とする。
【０００３】
【課題を解決するための手段】
本発明者等は、卸売業者が製造業者や輸入業者等の製品の販売促進活動を行うことによって新たに喚起された需要についても製造業者等から利益を還元できる仕組みを提供すべく鋭意検討して、本発明を完成した。
【０００４】
即ち本発明は以下の発明を提供する。
１．取引情報を入力する手段を有する会員端末及び取引情報を入力する手段を有する非会員端末と会員毎のポイントを記憶するポイント記憶ファイルを有するマスターサーバーとが各々通信回線を介して接続されてなる取引データ処理システムにおいて、
非会員は各々特定された会員により管轄されており、
マスターサーバーは、
会員端末又は非会員端末から入力された取引情報に基づいてポイントを発行するポイント発行手段と、
ポイント記憶ファイルに記憶された会員毎のポイントに当該会員の会員端末から入力された取引情報に基づいて発行されたポイント又は当該会員が管轄する非会員の非会員端末から入力された取引情報に基づいて発行されたポイントを加算したポイントを新たにポイント記憶ファイルに記憶させるポイント更新手段と、を有することを特徴とする取引データ処理システム（以下、本発明取引データ処理システムと記す。）。
【０００５】
２．取引情報を入力する手段を有する卸売業者端末及び取引情報を入力する手段を有する購入者端末と卸売業者毎のポイントを記憶するポイント記憶ファイルを有するマスターサーバーとが各々通信回線を介して接続されてなる取引データ処理システムにおいて、
購入者は購入地により各々特定された卸売業者により管轄されており、
マスターサーバーは、
卸売業者端末又は購入者端末から入力された取引情報に基づいてポイントを発行するポイント発行手段と、
ポイント記憶ファイルに記憶された卸売業者毎のポイントに当該卸売業者端末から入力された取引情報に基づいて発行されたポイント又は当該卸売業者が管轄する購入者端末から入力された取引情報に基づいて発行されたポイントを加算したポイントを新たにポイント記憶ファイルに記憶させるポイント更新手段とを
有することを特徴とする取引データ処理システム。
【０００６】
３．コンピュータを用いて取引データを処理する取引データ処理方法において
会員端末又は非会員端末から入力された取引情報に基づいてポイントを発行するポイント発行ステップと、
ポイント記憶ファイルに記憶された会員毎のポイントに当該会員の会員端末から入力された取引情報に基づいて発行されたポイント又は当該会員が管轄する非会員端末から入力された取引情報に基づいて発行されたポイントを加算したポイントを新たに記憶するポイント更新ステップとを
有することを特徴とする取引データ処理方法。
【０００７】
【発明の実施の形態】
以下、本発明の実施形態について説明する。
【０００８】
本発明において、会員とはマスターサーバーの管理者である製造業者、輸入業者等と取引関係を有するものであって、予めマスターサーバーの管理者により会員登録を受けているものをいう。会員登録は通信回線を通じて行うこともできるが、本発明においては通常、マスターサーバーの管理者である製造業者等が取引関係を有する卸売業者等を予め会員登録しマスターサーバーに会員毎のポイント記録ファイルを構築している。会員には、通常ＩＤとパスワードとが付与され、会員端末からマスターサーバーに接続する際には、会員はこのＩＤとパスワードとを入力する。
【０００９】
非会員とは、マスターサーバーの管理者である製造業者等又は会員以外の者であって、マスターサーバーに通信回線を通じて自由に接続できる者をいう。なお、非会員にはマスターサーバー管理者である製造業者、輸入業者等により予め登録を受けている会員以外のもの（準会員）も含まれる。
非会員は各々特定された上記会員により管轄されているが、非会員自身は特定の会員によって管轄されていることを認識できる必要はなく、例えば、非会員の住所又は居所、若しくは非会員がマスターサーバーの管理者である製造業者、輸入業者等の商品等を購入する場所によって管轄を決定するものでも良い。
【００１０】
本発明取引データ処理システムは取引情報を入力する手段を有する会員端末及び取引情報を入力する手段を有する非会員端末と会員毎のポイントを記憶するポイント記憶ファイルを有するマスターサーバーとが通信回線を介して接続されている。
本発明において取引データとは、マスターサーバーの管理者である製造業者、輸入業者等が会員または非会員に商品等の販売を行うにあたり、該製造業者等と会員等との間でやりとりされる一切の情報が含まれる。該製造業者等と会員等との間でやりとりされる情報としては、例えば、会員が商品等を販売する販売先に関する情報（販売先の顧客の名称並びに住所又は居所、販売数量、商品の使用用途等）、商品の注文に関する情報（商品の品名、型番、数量等）、商品の在庫に関する情報（製造業者等及び会員の現在の在庫、製造業者等からの納入に要する日数等）、ポイントに関する情報（本発明取引情報データ処理システムで取り扱われる製造業者等が販売促進のために付与するポイント；会員ごとのポイントの現状、製造業者等から特定の便宜を得るために不足するポイント数等）、商品の技術的情報（商品の使用方法、商品の安全性、商品の特性等）及びその他商品に関する情報（例えば、商品が農薬である場合にはその商品が対象とする病害虫や雑草の発生状況に関する情報；商品が医薬品である場合にはその商品が対象とする病気（風邪等）の流行に関する情報；及び当該商品等を取り扱う製造業者、輸入業者等が保有する商品の販売状況（売上高等）に関する情報）が挙げられる。
取引情報とは、通常、会員または非会員がマスターサーバーの管理者である製造業者、輸入業者等の商品等を購入するために必要な情報である。かかる情報としては、例えば商品の特定（商品名、商品の型番等）、商品の数量、商品の納入希望日及び商品の納入先が含まれる。
マスターサーバーは通常製品を製造する製造業者がその内容を管理、使用しており、会員端末は通常マスターサーバーを管理する製造業者と取引関係を有する卸売業者が使用しているものである。また、非会員端末の使用者としては例えば、製品を購入することを希望する末端消費者、上記の製造業者等とは定期的な取引関係を有していない小売業者が挙げられる。
【００１１】
取引情報を入力する手段としては、例えばキーボードやマウス等の通常のコンピュータで入力に用いられる手段により入力する手段が挙げられる。入力の容易さの点からは、ｗｅｂ画面上で取引情報をマウスを用いて選択することにより入力することが望ましい。
【００１２】
マスターサーバーに個々の取引情報を入力する手段としては例えば、会員端末又は非会員端末に入力された取引情報を通信回線を通じて入力する方法があげられる。なお、必要に応じて会員端末又は非会員端末に入力された取引情報をフレキシブルディスク、ＣＤ−ＲＯＭ等の物理的媒体を介してマスターサーバーに入力することもできる。
【００１３】
本発明において非会員（準会員を含む）は、特定の会員により管轄されているが、この管轄は例えば予め設定された会員が受け持つ領域（地域等）に基づいて定めることができる。
【００１４】
本発明において会員端末と非会員端末とはハードウエア上の区別が特にある必要はなく、例えばマスターサーバーに通信を通じて接続する際にユーザーＩＤ、パスワード等により区別されるものであってもよい。
【００１５】
マスターサーバーが有するポイント記憶ファイルは会員毎に取引情報に応じて製造業者から付与されたポイントの合計値を記憶したファイルである。このポイント記憶ファイルは一般にマスターサーバーの記憶装置に構築されたものであり、必要に応じてマスターサーバーの演算装置に読み出され、新たな取引情報に応じて更新されるものである。
本発明においてポイントとは、会員が製造業者等から特定の便宜を受けるために用いられる点数であり、例えば一定の点数に達したときに会員が製造業者等に現金、商品及び／又はサービスとの交換を求めるために用いられるもの及び一定の点数に達したときに会員が製造業者等から製品を購入する際の価格に反映させるために用いられるものが挙げられる。
ポイント記憶ファイルが構築されている記憶装置はマスターサーバーと実質的に一体となって動作する記憶装置であれば必ずしも物理的に一体をなしている必要はない。
【００１６】
会員端末及び非会員端末とマスターサーバーを接続する手段としては、通信を用いるものであれば特に限定されるものではないが、例えばインターネット、パソコン通信が挙げられる。
【００１７】
本発明におけるポイント発行手段としては、例えば会員端末又は非会員端末から入力された取引情報のうち取引金額、取引数量等の情報から予め定められた演算手段を用いてその取引のポイントを計算し発行する手段が挙げられる。
なお、会員端末から入力された取引情報に基づいて発行されたポイントと非会員端末から入力された取引情報に基づいて発行されたポイントとを同じ価値とする必要はなく、例えば非会員端末から入力された取引情報に基づいて発行されたポイントは会員端末から入力された取引情報に基づいて発行されたポイントの定数倍したものであってもよい。
【００１８】
本発明におけるポイント更新手段はポイント記憶ファイルに記憶された会員毎のポイントに当該会員の会員端末から入力された取引情報に基づいて発行されたポイント又は当該会員が管轄する非会員の非会員端末から入力された取引情報に基づいて発行されたポイントを加算したポイントを新たにポイント記憶ファイルに記憶させるものである。
本発明のポイント更新手段において入力された取引情報が会員端末から入力されたものであるか、非会員端末から入力されたものであるかは例えばマスターサーバーに接続する際に入力されたユーザーＩＤ、パスワードによって区別することができる。また、会員端末から入力されたものであるか、非会員端末から入力されたものであるかを区別するために、会員と非会員とでは取引情報を入力する際に必要な入力項目を異なったものにする（例えば、会員端末から取引情報を入力する場合には会員の識別コードを入力し、非会員端末から取引情報を入力する場合には製品の納入先住所を入力する等の区別を設ける。）こともできる。
【００１９】
非会員端末から入力された取引情報に基づいて発行されたポイントをその非会員を管轄する会員のポイントに加算する方法としては、例えば非会員が取引情報の一部として入力した製品の納入先住所が予め設定した会員の管轄領域に属する場合にはポイントを加算する方法が挙げられる。
【００２０】
また、製造業者又は輸入業者が卸売業者に製品を販売する際に、製造業者又は輸入業者が卸売業者に一定期間での製品の販売目標を設定し、卸売業者がその販売目標を達成した度合に応じて製造業者又は輸入業者が販売奨励を目的として財やサービスを卸売業者に提供するという商慣習を考慮すれば、本発明取引データ処理システムは、マスターサーバーを管理する製造業者又は輸入業者が各会員のポイントを逐次参照できるものとすることにより一層利用価値を高めることができる。即ち、本発明取引データ処理システムにより製造業者又は輸入業者は各会員の販売目標の達成度合いをポイントとして逐次把握することができるようになる。
【００２１】
さらに、本発明取引データ処理システムに各会員が会員端末から自らのポイント（参照時までに獲得した自らのポイント、製造業者等から特定のサービスを受けるために必要なポイントに不足するポイント等）を参照する機能を付加することにより、卸売業者にとっても自らの販売目標の管理に利用できるようになる。
【００２２】
本発明取引データ処理システムは会員や非会員に対して製品に関する情報等を伝達する手段等が付加されたものであってもよい。
かかる情報としては例えば、製造業者又は輸入業者から会員への商品等の出荷情報；製造業者又は輸入業者から会員へのポイントに基づく財やサービスの情報；及び製造業者又は卸売業者が計画する商品等の販売促進活動に関する情報があげられる。
【００２３】
【実施例】
以下に、本発明の一形態を図面を参照して詳述するが、本発明はこの例に限定されるものではない。
【００２４】
図１に示される会員端末及び非会員端末は取引情報を入力する手段を有する。会員または非会員が会員端末または非会員端末に入力した取引情報は、通信回線を通じてマスターサーバーに転送される。
マスターサーバーは転送された取引情報に基づいて、ポイントを発行するポイント発行手段を有し、また、当該会員の会員端末から入力された取引情報に基づいて発行されたポイントと当該会員が管轄する非会員の非会員端末から入力された取引情報に基づいて発行されたポイントとを加算したポイントを新たにポイント記憶ファイルに記憶させるポイント更新手段を有する。
【００２５】
【発明の効果】
本発明によりマスターサーバーを管理する製造業者と会員端末を有する卸売業者との間で製品の販売目標管理を容易にでき、さらに卸売業者が製造業者の製品の販売促進活動を行うことで製造業者から利益を還元できる。
【図面の簡単な説明】
【図１】本発明取引データ処理システムの一例の全体像を示す概念図
【図１】
2004021385.tif 000002